(57)【要約】【課題】必要な複数の食卓用器具を一遍に間違いなく添付或いは配付でき、使用時には極めて簡単な操作により分離してそれぞれ使用することができ、持ち帰りの弁当、簡易なレストランの食事等に便利に利用できる食卓用器具複合体を提案する。【解決手段】複数の食卓用器具を任意に並列させるとともに、それらの各柄に着脱可能に掛け渡し係合させた連結板５を設け、この連結板５と各柄とを易切断性の連結片６によりそれぞれ連結して一体に形成した。【選択図】図１
2004261337.tif 000002
【特許請求の範囲】
【請求項１】
複数の食卓用器具を任意に並列させるとともに、それらの各柄に着脱可能に掛け渡し係合させた連結板５を設け、且つ、上記連結板５と上記各柄とを易切断性の連結片６によりそれぞれ連結して一体に形成したことを特徴とする食卓用器具複合体。
【請求項２】
連結板５より間隔をあけて複数の易切断性連結片６を突設するとともに、各易切断性連結片６の他端にそれぞれ柄を連結した食卓用器具を任意に並列させ、上記各易切断性連結片６を反転させた上記連結板５を、上記各柄とそれぞれ凹凸係合手段を介して着脱可能に係合したことを特徴とする食卓用器具複合体。
【請求項３】
複数の食卓用器具を任意に並列させるとともに、それらの隣接する各柄相互を易切断性の連結片６によりそれぞれ連結して一体に形成し、且つ、隣接する各食卓用器具を重ね合わせてそれらの各柄相互を凹凸係合手段により着脱可能に係合させたことを特徴とする食卓用器具複合体。
【発明の詳細な説明】
【０００１】
【発明の属する技術分野】
本発明は食卓用器具複合体に関し、詳しくは、複数の食卓用の器具を備え、簡単に分離しての使用が可能な食卓用器具複合体に関する。
【０００２】
【従来の技術】
スプーン，フォーク，ナイフ等の食卓用器具は金属製のものが主流であるが、合成樹脂製のものも使用されており、持ち帰り用のアイスクリーム，ケーキ等を食する場合には頻繁に使用され、また、弁当に備えつけるための合成樹脂製のスプーン，フォーク，ナイフ等も知られている。これらの合成樹脂製のスプーン等を取り扱った飲食品用用具の帯状包装体が提案されている（例えば、特許文献１参照）。
【０００３】
上記包装体は合成樹脂フィルムからなる一対の帯状包装材料を重ねて形成するとともに、スプーン，ストロー等の飲食品用用具を収納する複数列の包装ユニットが連続して繋がってなる帯状包装体であって、各包装ユニット間及び包装ユニットの列間のシール部の略中央に沿ってミシン目線を設け、この包装ユニット間及び又は包装ユニットの列間のシール部を、易剥離性の接着材を介在させて接着してあるとともに、包装ユニット間及び又は包装ユニットの列間のミシン目線に、このミシン目線から切り離すとノッチが形成される部位を形成している。
【０００４】
上記包装体は、帯状包装体として取り扱っているときにはみだりに切り裂かれることがなく、使用の際には包装ユニットが容易に分離でき、また、包装ユニットに収容されたスプーン等の飲食品用用具の抜き出しが容易で、フィルム破片が付着するような不都合のないものである。
【０００５】
【特許文献１】
特開平０８−１１９３４号公報（第２−４頁，図１）
【０００６】
【発明が解決しようとする課題】
上記した如く、単独の食卓用用具を包装した包装ユニットを多数切り離し可能に設けた例は知られているが、複数種類の用具を揃える場合には、それぞれ別々の包装体から切り離して揃えなければならず、手間が掛かるとともに、種類の間違い等の取り扱い上の面倒がある。
【０００７】
本発明は、必要な複数の食卓用器具を一遍に間違いなく添付或いは配膳できるとともに、使用時には極めて簡単な操作により分離してそれぞれ使用することができ、持ち帰りの弁当、簡易なレストランの食事等に有効に利用できる食卓用器具複合体を提案することを目的とするものである。
【０００８】
【課題を解決するための手段】
本請求項１発明の食卓用器具複合体は、上記課題を解決するため、複数の食卓用器具を任意に並列させるとともに、それらの各柄に着脱可能に掛け渡し係合させた連結板５を設け、且つ、上記連結板５と上記各柄とを易切断性の連結片６によりそれぞれ連結して一体に形成したことを特徴とする食卓用器具複合体として構成した。
【０００９】
また、請求項２発明の食卓用器具複合体は、連結板５より間隔をあけて複数の易切断性連結片６を突設するとともに、各易切断性連結片６の他端にそれぞれ柄を連結した食卓用器具を任意に並列させ、上記各易切断性連結片６を反転させた上記連結板５を、上記各柄とそれぞれ凹凸係合手段を介して着脱可能に係合したことを特徴とする食卓用器具複合体として構成した。
【００１０】
また、請求項３発明の食卓用器具複合体は、複数の食卓用器具を任意に並列させるとともに、それらの隣接する各柄相互を易切断性の連結片６によりそれぞれ連結して一体に形成し、且つ、隣接する各食卓用器具を重ね合わせてそれらの各柄相互を凹凸係合手段により着脱可能に係合させたことを特徴とする食卓用器具複合体として構成した。
【００１１】
【発明の実施の形態】
以下、本発明の実施例の形態を図面を参照して説明する。
【００１２】
本発明の食卓用器具複合体は、複数の食卓用器具を任意に並列させている。図１に示す実施例に於いて食卓用器具複合体１は、その食卓用器具として、フォーク２と、スプーン３と、ナイフ４を備えており、それらを並列させている。これらの並びの順番は任意に選択でき、また、その数も複数であればよいが、セットとしての目的上それぞれ異なる種類の器具を選択する。また、これら食卓用器具は柄を備えたものを使用する。
【００１３】
上記フォーク２，スプーン３，ナイフ４の形状は、柄の先端にそれぞれ、歯，皿状部，刃を延設した極一般的な形状を採用でき、図１に於いて、フォーク２は、縦長板状の柄２ａの先端に複数本の歯２ｂを設けて構成しており、また、スプーン３は縦長板状の柄３ａの先端に皿状部３ｂを設けている。更に、ナイフ４は縦長板状の柄４ａの先端に刃４ｂを延設している。
【００１４】
また、上記各柄に着脱可能に掛け渡した連結板５を設けており、この連結板５と各柄とは易切断性の連結片６によりそれぞれ連結して全体を一体に形成できる如く構成している。この連結板５は、未使用時には各器具を並列状態で固定させ、使用時にはそれらから外して各連結片６を切断することにより各器具をそれぞれ単独で使用できる如くしたものである。
【００１５】
連結板５を各柄に掛け渡し係合する手段の一例として、凹凸係合手段を介しての着脱可能な係合が挙げられる。凹凸係合手段の代表的なものとして、一方に設けた係合突部を他方に設けた係合凹部（凹部，透孔を含む）に嵌合させて着脱自在に係合させる方法が挙げられる。図１の実施例に於いて、連結板５の表面所定位置に三箇所の係合突部７を突設し、一方、各柄２ａ，３ａ，４ａの下端部には各係合突部７が係合可能な係合凹部８としての透孔をそれぞれ穿設している。
【００１６】
図３は図１の食卓用器具複合体１の形成時の状態を示すもので、この状態で公知の成形手段により一体に形成される。形成材料としては合成樹脂のほか、木，竹，紙等の植物等を用いることができ、合成樹脂の場合、例えば、射出成形等の公知の成形方法により形成することができ、また、植物の場合にはそのチップを用いたプレス加工等により形成することができる。
【００１７】
図示例の食卓用器具複合体１は、連結板５より間隔をあけて三本の易切断性連結片６を突設するとともに、各易切断性連結片６の他端にそれぞれ柄を連結したフォーク２、スプーン３、ナイフ４を任意に並列させて設けている。そして、上記各易切断性連結片６を例えば湾曲して反転させた上記連結板５を、上記各柄２ａ，３ａ，４ａとそれぞれ上記凹凸係合手段を介して着脱可能に係合する如く構成している。
【００１８】
そして、上記食卓用器具複合体１を使用する際には、上記連結板５を取り外した後各易切断性の連結片６を例えば引っ張る等の方法でそれぞれ切断し、それぞれの器具を分離して使用する。
【００１９】
図４は本発明の他の実施例を示すもので、複数の食卓用器具を任意に並列させるとともに、それらの各柄相互を易切断性の連結片によりそれぞれ連結して一体に形成し、また、隣接する各食卓用器具を重ね合わせてそれらの各柄相互を凹凸係合手段により着脱可能に係合させたものである。図示例では、フォーク２を中心にその両側にスプーン３と，ナイフ４とを重ね合わせている。この場合もこれらの並びの順番は任意に選択でき、また、その数も複数であればよいが、セットとしての目的上それぞれ異なる種類の器具を選択する。また、これら食卓用器具は上記した如く柄を備えたものを使用する。
【００２０】
本実施例に於ける凹凸係合手段は上記図１の実施例で説明したものと同様構成のものが採用され、図示例では、フォーク２の柄２ａの前後面に係合突部７を突設し、一方スプーン３とナイフ４のそれぞれの柄３ａ，４ａに係合凹部８としての透孔を穿設している。
【００２１】
図５は図４の食卓用器具複合体１の形成時の状態を示すもので、この状態で公知の成形手段により一体に形成される。形成材料及び方法は上記実施例と同様である。図示例の食卓用器具複合体１は、フォーク２を中心にその両側にスプーン３、ナイフ４を並列させており、それらの隣接する各柄相互を易切断性の連結片６によりそれぞれ連結して一体に形成している。連結片６はそれぞれ各柄の上下に於いて二箇所づつ設けている。この成形体を連結片６を例えば湾曲させて各係合突部７を係合凹部８に嵌合させて積み重ね係合させている。
【００２２】
そして、上記食卓用器具複合体１を使用する際には、各食卓用器具の係合を外した後各易切断性の連結片６を例えば引っ張る等の方法でそれぞれ切断し、それぞれの器具を分離して使用する。
【００２３】
本発明に於ける係合手段として上記した例の外、例えば図６に示す如く、スプーン３の柄３ａの前面所定位置と、ナイフ４の柄４ａの後面の所定位置とに係合突部７を突設し、一方、フォーク２の柄２ａの所定位置に係合凹部８としての一対の透孔を穿設したものが挙げられるが、これらに限らず、上記要件を満たせば種々の形態を採用することができる。
【００２４】
【発明の効果】
以上説明した如く、本発明の食卓用器具複合体は、既述構成としたことにより、フォーク等の複数の食卓用器具を連結しているため、器具の種類を揃え間違えるという不都合がなく、また、使用時には簡単に分離できて使い勝手が良く、弁当等の持ち帰り商品への添付、或いは、大勢が一斉に食事をするような簡易な大型レストラン等の配膳の際には極めて便利である。また、一体成形品であるため、製造も容易で安価に得られる利点も兼ね備えている。
【００２５】
また、請求項２発明の食卓用器具複合体は、複数種類の器具を未使用時にはコンパクトに備え、また、使用時には簡単に分離して使用できる利点がある。また、反転させた連結板を各柄とそれぞれ凹凸係合手段を介して着脱可能に係合しているので、各器具の連結板による固定が容易に行えるとともに、その取り外しも容易に行えて各器具の分離の際にはより簡単に行える利点がある。
【００２６】
また、請求項３発明の食卓用器具複合体も同様に、器具の種類を揃え間違いがえるとうい不都合がなく、また、使用時には簡単に分離できて使い勝手が良いとともに、使用後再び各器具相互を嵌着一体化することができる便利がある。
【図面の簡単な説明】
【図１】本発明の一実施例を示す正面図である。
【図２】図１のＡ−Ａ線に沿う縦断面図である。
【図３】同実施例の成形時の状態を示す正面図である。
【図４】本発明の他の実施例を示す縦断面図である。
【図５】同実施例の成形時の状態を示す正面図である。
【図６】本発明の更に他の実施例を示す要部縦断面図である。
【符号の説明】
２…フォーク，２ａ…柄，３…スプーン，３ａ…柄，４…ナイフ，
４ａ…柄，５…連結板，６…連結片
【図１】
2004261337.tif 000003
【図２】
2004261337.tif 000004
【図３】
2004261337.tif 000005
【図４】
2004261337.tif 000006
【図５】
2004261337.tif 000007
【図６】
2004261337.tif 000008